(57)【要約】ＤＣを実行することができるか否かを判定することができる通信端末、基地局、及び通信方法を提供すること。本開示にかかる通信端末（３０）は、第１の無線アクセステクノロジーに関連付けられたマスター基地局（１０）及び第２の無線アクセステクノロジーに関連付けられたセカンダリ基地局（２０）と同時に通信する通信部（３１）と、マスター基地局（１０）から第２の無線アクセステクノロジーを用いたデュアルコネクティビティの提供が可能であることを通知されると、マスター基地局（１０）とともにデュアルコネクティビティを提供するセカンダリ基地局（２０）がサポートする少なくとも１つの周波数帯を特定する制御部（３２）と、を備える。
2019031528.tif 000002
【特許請求の範囲】
【請求項１】
第１の無線アクセステクノロジーに関連付けられたマスター基地局及び第２の無線アクセステクノロジーに関連付けられたセカンダリ基地局と同時に通信する通信手段と、
前記マスター基地局から、前記第２の無線アクセステクノロジーを用いたデュアルコネクティビティを使用することを許可されていることを示す情報を受信する受信手段と、
前記マスター基地局とともにデュアルコネクティビティを提供する前記セカンダリ基地局がサポートする少なくとも１つの周波数帯を特定する制御手段と、を備える通信端末。
【請求項２】
前記制御手段は、
前記少なくとも１つの周波数帯を特定した場合、前記第２の無線アクセステクノロジーを利用することができることを示す情報を表示手段へ表示させるか否かを判定する、請求項１に記載の通信端末。
【請求項３】
前記制御手段は、
前記少なくとも１つの周波数帯を特定し、かつ、前記マスター基地局から、前記マスター基地局がローカルに利用可能な第２の無線アクセステクノロジーを用いたデュアルコネクティビティをサポートすることができることを示す情報を受信した場合に、前記第２の無線アクセステクノロジーを利用することができることを示す情報を前記表示手段へ表示させる、請求項２に記載の通信端末。
【請求項４】
前記制御手段は、前記通信端末がサポートする周波数帯をスキャンし、前記セカンダリ基地局より正常に受信した情報の周波数帯に基づいて前記少なくとも１つの周波数帯を特定する、請求項1に記載の通信端末。
【請求項５】
前記制御手段は、
前記マスター基地局から、前記マスター基地局とともにデュアルコネクティビティを提供する前記セカンダリ基地局がサポートする少なくとも１つの周波数帯に関する情報を受信し、前記情報に含まれる周波数帯をスキャンして利用可能な周波数帯を特定する、請求項１乃至４のいずれか１項に記載の通信端末。
【請求項６】
前記制御手段は、
前記マスター基地局から、前記セカンダリ基地局がサポートする少なくとも１つの周波数帯に関する情報を含むSIB（System Information Block）を受信する、請求項５に記載の通信端末。
【請求項７】
前記制御手段は、
前記マスター基地局から、前記マスター基地局とともにデュアルコネクティビティを提供する前記セカンダリ基地局がサポートする少なくとも１つの周波数帯と、前記マスター基地局が前記通信端末との通信に使用する周波数帯との組み合わせに関する情報を受信する、請求項５又は６に記載の通信端末。
【請求項８】
前記制御手段は、
NAS (Non Access Stratum)レイヤにおいて前記第２の無線アクセステクノロジーを用いたデュアルコネクティビティを使用することを許可されていることを示す情報を受信した場合に、前記NASレイヤからRRC (Radio Resource Control)レイヤへ、前記SIBに含まれる少なくとも１つの周波数帯をスキャンすることを指示させる、請求項６に記載の通信端末。
【請求項９】
前記制御手段は、
前記マスター基地局から、前記通信端末が登録される少なくとも１つの位置登録エリア内において、前記マスター基地局もしくは他のマスター基地局とともにデュアルコネクティビティを提供するセカンダリ基地局がサポートする少なくとも１つの周波数帯に関する情報を受信する、請求項１乃至５のいずれか１項に記載の通信端末。
【請求項１０】
前記制御手段は、
前記マスター基地局から、位置登録処理において、前記セカンダリ基地局がサポートする少なくとも１つの周波数帯に関する情報が設定されたメッセージを受信する、請求項９に記載の通信端末。
【請求項１１】
前記制御手段は、
前記位置登録処理において受信したメッセージに設定された少なくとも１つの周波数帯をスキャンし、利用可能な周波数帯を特定する、請求項１０に記載の通信端末。
【請求項１２】
前記制御手段は、
NASレイヤにおいて前記第２の無線アクセステクノロジーを用いたデュアルコネクティビティを使用することを許可されていることを示す情報を受信した場合に、前記NASレイヤからRRCレイヤへ、前記位置登録処理において受信したメッセージに設定された少なくとも１つの周波数帯をスキャンすることを指示させる、請求項１１に記載の通信端末。
【請求項１３】
前記受信手段は、
前記マスター基地局から、前記マスター基地局とともにデュアルコネクティビティを提供する少なくとも１つのセカンダリ基地局を識別するための識別情報を受信し、
前記制御手段は、
前記セカンダリ基地局から送信される信号に含まれる前記セカンダリ基地局の識別情報が、前記マスター基地局から受信した少なくとも１つの前記セカンダリ基地局を識別するための識別情報に含まれる場合に、前記マスター基地局とともにデュアルコネクティビティを提供する前記セカンダリ基地局がサポートする少なくとも１つの周波数帯を特定する、請求項１乃至１２のいずれか１項に記載の通信端末。
【請求項１４】
前記制御手段は、
前記セカンダリ基地局から送信される信号に含まれる、前記セカンダリ基地局とともにデュアルコネクティビティを提供する少なくとも１つのマスター基地局を識別するための識別情報に、現在在圏しているマスター基地局の識別情報が含まれる場合に、前記マスター基地局とともにデュアルコネクティビティを提供する前記セカンダリ基地局がサポートする少なくとも１つの周波数帯を特定する、請求項１乃至１２のいずれか１項に記載の通信端末。
【請求項１５】
第１の無線アクセステクノロジーを用いて通信端末と通信する通信手段と、
第２の無線アクセステクノロジーに関連付けられたセカンダリ基地局とともに前記通信端末に対してデュアルコネクティビティを提供する際に、前記セカンダリ基地局がサポートする少なくとも１つの周波数帯に関する情報を前記通信端末へ送信する制御手段と、を備える基地局。
【請求項１６】
前記制御手段は、
前記セカンダリ基地局がサポートする少なくとも１つの周波数帯に関する情報を含むSIBを前記通信端末へ送信する、請求項１５に記載の基地局。
【請求項１７】
前記制御手段は、
前記通信端末が登録される少なくとも１つの位置登録エリア内において、前記基地局もしくは他のマスター基地局とともにデュアルコネクティビティを提供するセカンダリ基地局がサポートする少なくとも１つの周波数帯に関する情報を送信する、請求項１５に記載の基地局。
【請求項１８】
前記制御手段は、
位置登録処理において、前記セカンダリ基地局がサポートする少なくとも１つの周波数帯に関する情報を設定したメッセージを前記通信端末へ送信する、請求項１７に記載の基地局。
【請求項１９】
前記制御手段は、
連携してデュアルコネクティビティを提供する少なくとも１つのセカンダリ基地局を識別するための識別情報を前記通信端末へ送信する、請求項１５乃至１８のいずれか１項に記載の基地局。
【請求項２０】
第２の無線アクセステクノロジーを用いて通信端末と通信する通信手段と、
連携してデュアルコネクティビティを提供することができる第１の無線アクセステクノロジーに関連付けられた少なくとも１つのマスター基地局を識別するための識別情報を前記通信端末へ送信する制御手段と、を備える基地局。
【請求項２１】
第１の無線アクセステクノロジーに関連付けられたマスター基地局及び第２の無線アクセステクノロジーに関連付けられたセカンダリ基地局と同時に通信する通信端末において実行される通信方法であって、
前記マスター基地局から、前記第２の無線アクセステクノロジーを用いたデュアルコネクティビティを使用することを許可されていることを示す情報を受信し、
前記マスター基地局とともにデュアルコネクティビティを提供する前記セカンダリ基地局がサポートする少なくとも１つの周波数帯を特定する、通信方法。
【請求項２２】
第１の無線アクセステクノロジーを用いて通信端末と通信する基地局における通信方法であって、
第２の無線アクセステクノロジーに関連付けられたセカンダリ基地局とともに前記通信端末に対してデュアルコネクティビティを提供する際に、
前記セカンダリ基地局がサポートする少なくとも１つの周波数帯に関する情報を前記通信端末へ送信する、通信方法。
【発明の詳細な説明】
【技術分野】
【０００１】
本開示は通信端末、基地局、及び通信方法に関する。
【背景技術】
【０００２】
通信端末が用いる無線通信方式として、３ＧＰＰ（3rd Generation Partnership Project）において規格が定められたＬＴＥ（Long Term Evolution）が広く普及している。現在、３ＧＰＰにおいて、ＬＴＥよりもさらに高速かつ大容量通信を可能とする無線通信方式として、５Ｇと称される無線通信方式が検討されている。５Ｇは、ＮＲ（New Radio）と称されてもよい。ＬＴＥとともにＤＣ（Dual Connectivity）を構成する無線アクセステクノロジー（ＲＡＴ：Radio Access Technology）としてＮＲを提供することが３ＧＰＰにおいて検討されている。ＤＣは、ＵＥ（User Equipment）と複数の基地局とが同時通信を行うことによって、ＵＥに対して高速かつ大容量通信を提供することを可能とする技術である。ＵＥは、３ＧＰＰにおいて通信端末の総称として用いられる。【０００３】
ここで、ＬＴＥ及びＮＲを用いたＤＣは、ＬＴＥセルを形成するｅＮＢ（evolved Node B）と、ＬＴＥセルとカバレッジの異なるＮＲセルを形成するｇＮＢとにおいて動作する。ＬＴＥセルは、ＬＴＥが用いられる通信エリアとして規定される一例であり、ＮＲセルは、ＮＲが用いられる通信エリアとして規定される一例である。ＮＲ導入当初は、ＮＲセルがＬＴＥセルよりも狭い通信エリアで５Ｇサービスが提供されることが想定されるため、ＬＴＥセル内にＮＲセルが点在する通信エリア構成となることが想定される。非特許文献１の４．２章には、ＬＴＥ及びＮＲを用いたＤＣを提供する際のシステム構成が開示されている。【０００４】
非特許文献１には、ｅＮＢがマスター基地局（ＭｅＮＢ：Master eNB）として用いられ、ｇＮＢがセカンダリ基地局（ＳｇＮＢ：Secondary gNB）として用いられるシステム構成が開示されている。また、非特許文献２には、マスター基地局は、ＮＲを用いるセカンダリ基地局と連携してＤＣを提供することが可能である場合、その情報をシステム情報（SIB: System Information Block）でＵＥへ報知することが開示されている。ＵＥは、ＮＲをセカンダリＲＡＴ（Radio Access Technology）として利用することが許可されることを示す情報を、マスター基地局を介して（言い換えると、マスター基地局のセルにおいて）コアネットワーク装置から受信した場合、ＵＥは、マスター基地局及びセカンダリ基地局との間において、ＤＣを利用してもよい。
【先行技術文献】
【非特許文献】
【０００５】
【非特許文献１】3GPP TS 37.340 V0.2.0 (2017-06) 4.2章
【非特許文献２】3GPP S2-175270, “LS on NR indication”, SA WG2 Meeting #122, 26-30 June 2017
【発明の概要】
【発明が解決しようとする課題】
【０００６】
しかし、ＵＥは、マスター基地局であるｅＮＢから、ｇＮＢをセカンダリ基地局として用いたＤＣを提供することが可能であることを示す情報、及び、コアネットワークからＵＥがＮＲをセカンダリＲＡＴとして使用することが許可されることを示す情報を受信した場合であっても、ＤＣを実施することができない場合がある。例えば、ｅＮＢは、ＵＥの現在位置を考慮せずに、ＮＲを用いたＤＣを提供することが可能であることを示す情報をＵＥへ報知し、さらに、コアネットワーク装置は、ＵＥの現在位置を考慮せずに、ＵＥがＮＲを利用可能か否か判定する。そのため、ＵＥは、ＮＲの通信エリア外に位置する状態において、ｅＮＢから、ＮＲを用いたＤＣを提供することが可能であることを示す情報、及びＵＥがＮＲを利用することが許可されることを示す情報を受信することがある。このような場合、ＵＥは、ＤＣを実行することができない。また、例えば、ＵＥは、ｅＮＢの通信エリア内およびＮＲの通信エリア内に位置する状態にあるが、該当ＮＲは該当ｅＮＢとは別のｅＮＢとＤＣを実施するように構成されている場合、ＵＥは、ＤＣを実行することができない。そのため、ＵＥは、マスター基地局であるｅＮＢから受信する情報のみでは、ＤＣを実行することができるか否かを判定することができないという問題がある。【０００７】
本開示の目的は、５Ｇ（ＮＲ）を利用したＤＣを実行することができる状況にあるか否かを判定することができる通信端末、それに寄与する基地局、及びそれらの通信方法を提供することにある。
【課題を解決するための手段】
【０００８】
本開示の第１の態様にかかる通信端末は、第１の無線アクセステクノロジーに関連付けられたマスター基地局及び第２の無線アクセステクノロジーに関連付けられたセカンダリ基地局と同時に通信する通信手段と、前記マスター基地局から前記第２の無線アクセステクノロジーを用いたデュアルコネクティビティを使用することを許可されていることを示す情報を受信する受信手段と、前記マスター基地局とともにデュアルコネクティビティを提供する前記セカンダリ基地局がサポートする少なくとも１つの周波数帯を特定する制御手段と、を備える。【０００９】
本開示の第２の態様にかかる基地局は、第１の無線アクセステクノロジーを用いて通信端末と通信する通信手段と、第２の無線アクセステクノロジーに関連付けられたセカンダリ基地局とともに前記通信端末に対してデュアルコネクティビティを提供する際に、前記セカンダリ基地局がサポートする少なくとも１つの周波数帯に関する情報を前記通信端末へ送信する制御手段と、を備える。【００１０】
本開示の第３の態様にかかる通信方法は、第１の無線アクセステクノロジーに関連付けられたマスター基地局及び第２の無線アクセステクノロジーに関連付けられたセカンダリ基地局と同時に通信する通信端末において実行される通信方法であって、前記マスター基地局から、前記第２の無線アクセステクノロジーを用いたデュアルコネクティビティを使用することを許可されていることを示す情報を受信し、前記マスター基地局とともにデュアルコネクティビティを提供する前記セカンダリ基地局がサポートする少なくとも１つの周波数帯を特定する。
【発明の効果】
【００１１】
本開示により、５Ｇ（ＮＲ）を利用したＤＣを実行することができる状況にあるか否かを判定することができる通信端末、それに寄与する基地局、及びそれらの通信方法を提供することができる。
【図面の簡単な説明】
【００１２】
【図１】実施の形態１、実施の形態１Ａ、実施の形態１Ｂにかかる通信システムの構成図である。
【図２】実施の形態２にかかる通信システムの構成図である。
【図３】実施の形態２にかかるＭｅＮＢ及びＳｇＮＢが形成する通信エリアを説明する図である。
【図４】実施の形態２にかかるＵＥにおけるレイヤ（layer）構成を説明する図である。
【図５】実施の形態２にかかる周波数帯を特定する処理を説明する図である。
【図６】実施の形態３にかかるＭｅＮＢの構成図である。
【図７】実施の形態３にかかる周波数帯を特定する処理を説明する図である。
【図８】実施の形態４にかかる周波数帯を特定する処理を説明する図である。
【図９】実施の形態４にかかる周波数帯を特定する処理を説明する図である。
【図１０】それぞれの実施の形態にかかる通信システムの構成図である。
【図１１】それぞれの実施の形態にかかるＭｅＮＢの構成図である。
【図１２】それぞれの実施の形態にかかる通信端末の構成図である。
【発明を実施するための形態】
【００１３】
（実施の形態１）
以下、図面を参照して本開示の実施の形態について説明する。実施の形態１にかかる通信システムは、マスター基地局１０、セカンダリ基地局２０、及び通信端末３０を有している。マスター基地局１０、セカンダリ基地局２０、及び通信端末３０は、プロセッサがメモリに格納されたプログラムを実行することによって動作するコンピュータ装置であってもよい。
【００１４】
マスター基地局１０及びセカンダリ基地局２０は、それぞれ特定の無線アクセステクノロジーに関連付けられている。図１においては、マスター基地局１０に関連付けられている無線アクセステクノロジーは、セカンダリ基地局２０に関連付けられている無線アクセステクノロジーとは異なる。また、マスター基地局１０に関連付けられている無線アクセステクノロジーとは、マスター基地局１０がサポートする無線アクセステクノロジー（マスターＲＡＴ）と言い換えられてもよい。同様に、セカンダリ基地局２０に関連付けられている無線アクセステクノロジーとは、セカンダリ基地局２０がサポートする無線アクセステクノロジー（セカンダリＲＡＴ）と言い換えられてもよい。
【００１５】
例えば、マスター基地局１０に関連付けられた無線アクセステクノロジーは、ＬＴＥ（第４世代移動通信方式）であってもよく、セカンダリ基地局２０に関連付けられた無線アクセステクノロジーは、ＮＲ（第５世代移動通信方式）であってもよい。無線アクセステクノロジーとしてＬＴＥをサポートするマスター基地局１０は、ＥＵＴＲＡＮ（Evolved Universal Terrestrial Radio Access Network）を構成する。無線アクセステクノロジーとしてＮＲをサポートするセカンダリ基地局２０は、ＮＧ（Next Generation）−ＲＡＮを構成する。
【００１６】
続いて、通信端末３０の構成例について説明する。通信端末３０は、通信部（Transceiver）３１及び制御部（Controller）３２を有している。通信部３１及び制御部３２は、プロセッサがメモリに格納されたプログラムを実行することによって処理が実行されるソフトウェアもしくはモジュールであってもよい。または、通信部３１及び制御部３２は、回路もしくはチップ等のハードウェアであってもよい。
【００１７】
通信部３１は、マスター基地局１０及びセカンダリ基地局２０と同時に通信できる。例えば、通信部３１は、マスター基地局１０及びセカンダリ基地局２０と無線通信を行ってもよい。同時に通信するとは、通信部３１がマスター基地局１０と通信するタイミングと、通信部３１がセカンダリ基地局２０と通信するタイミングとが所定の時間ずれた場合も含み、いわゆる実質的に同一のタイミングにおいて通信することを含む。通信部３１が、マスター基地局１０及びセカンダリ基地局２０と同時に通信するとは、通信部３１がマスター基地局１０及びセカンダリ基地局２０とＤＣを実行すると言い換えられてもよい。これは、通信部３１が、マスター基地局１０の通信エリア（セル等）及びセカンダリ基地局２０の通信エリア（セル等）において、ＤＣを実行すると言い換えられてもよい。
【００１８】
制御部３２は、マスター基地局１０から、セカンダリ基地局２０に関連付けられた無線アクセステクノロジー（セカンダリＲＡＴ）を用いたＤＣを使用することを許可されていることを示す情報や通知を、通信部３１を介して受信する。さらに、制御部３２は、マスター基地局１０とともにＤＣを提供可能なセカンダリ基地局２０がサポートする少なくとも１つの周波数帯を特定する。通信端末３０（通信部３１）は、マスター基地局１０から送信された、セカンダリＲＡＴを用いたＤＣを使用することを許可されていることを示す情報を、直接受信してもよく、中継装置を介して受信してもよい。
【００１９】
制御部３２は、例えば、通信端末３０がセカンダリＲＡＴ（e.g., ＮＲ）の無線通信を行う周波数帯としてサポートしている周波数帯を順にスキャンし（又は、サーチし、検索し）、セカンダリ基地局２０がサポートする少なくとも１つの周波数帯を特定してもよい（又は、検出してもよい）。例えば、制御部３２は、通信端末３０がセカンダリＲＡＴの無線通信を行う際にサポートしている周波数帯を順にスキャンし（又は、サーチし、検索し）、セカンダリ基地局２０から送信された信号（e.g., 参照信号）を受信することができた周波数（帯）を、セカンダリ基地局２０がサポートする（i.e. セカンダリＲＡＴによる無線通信が提供されている）周波数（帯）として特定してもよい（又は、検出してもよい）。なお、以下の記載では、「スキャンする」は、「サーチする」や「検索する」と言い換えてもよい。
【００２０】
以上説明したように、図１の制御部３２は、マスター基地局１０から、セカンダリ基地局２０に関連付けられた無線アクセステクノロジーを用いたＤＣを使用することが許可されていることを通知されると、マスター基地局１０とともにＤＣを提供するセカンダリ基地局２０がサポートする少なくとも１つの周波数帯を特定することができる。制御部３２が周波数帯を特定できたことは、セカンダリ基地局２０から送信される無線信号を受信できたことを意味する。そのため、制御部３２は、セカンダリ基地局２０がサポートする周波数帯を特定することによって、マスター基地局１０及びセカンダリ基地局２０とＤＣを実行できると判定する。言い換えると、制御部３２は、セカンダリ基地局２０がサポートする周波数帯を特定することができたか否かに応じて、マスター基地局１０及びセカンダリ基地局２０とＤＣを実行することができるか否かを判定する。なお、上述の説明における通信端末３０の動作としては、当該通信端末３０が、セカンダリ基地局２０がサポートする周波数帯を特定することとしたが、特定することに限らない。例えば、通信端末３０は、セカンダリ基地局２０がサポートする周波数帯を特定する代わりに、セカンダリ基地局２０が管理するセルを検出（又は選択）するように動作してもよい。以降の説明においては、通信端末３０の動作は、これらのいずれでもよいことを想定する。
【００２１】
（実施の形態１Ａ）
図１で、通信端末３０がマスター基地局１０の通信エリア内およびセカンダリ基地局２０の通信エリア内に位置する状態にあることが示されている。しかし、セカンダリ基地局２０がマスター基地局１０とは別のマスター基地局とＤＣを実施するように構成されている場合は、マスター基地局１０はセカンダリ基地局２０を用いたＤＣを実行することができない。そのことを通信端末３０が特定し（又は検出し）、セカンダリＲＡＴを利用するＤＣを実行することができるか否かを判定する第一の方法を以下に説明する。
【００２２】
セカンダリ基地局２０に関連付けられた無線アクセステクノロジー（セカンダリＲＡＴ）を用いたＤＣの提供が可能であることを通信端末３０へ（報知情報または個別信号で）通知する際に、マスター基地局１０は、マスター基地局１０とともにＤＣを提供するセカンダリ基地局２０を識別するための識別情報Ａを通知する。なお、セカンダリＲＡＴを用いたＤＣの提供が可能であることを示す情報は、ＳＩＢで報知されてもよいし、通信端末３０それぞれに対する個別信号（UE dedicated signaling）で送信されてもよい。個別信号としては、例えばRRC signaling（e.g., RRC Connection Reconfiguration message）でもよいし、MAC signaling（e.g., MAC Control Element (CE)）でもよい。例えば、識別情報Ａはセカンダリ基地局２０の識別子（e.g., Node B identity）でもよい。識別情報Ａは、セカンダリ基地局２０による通信エリア（セル等）を識別するための識別情報であってもよい。例えば、識別情報Ａはセカンダリ基地局２０が管理するセルの識別子（e.g., PCI (Physical Cell Identifier), Cell Identity, or CGI ( Cell Global Identifier, Cell identity + PLMN Identity)）でもよい。これらは、セカンダリ基地局２０が管理し、且つマスター基地局１０と共にＤＣを提供することが可能なセカンダリ基地局２０による通信エリア（セル等）に相当するものに限定されてもよい。さらに、又はこれに代えて、識別情報Ａはセカンダリ基地局２０が管理するセルが属するＲＡＮレベルの位置管理エリアの識別子（e.g., RAN Notification Area (RNA) Identity, RAN Location Area (RLA) Identity）でもよい。セルの識別子に代えてＲＡＮレベルの位置管理エリアの識別子を利用することで、マスター基地局１０から通信端末３０へ通知される情報量の削減が期待される。なお、通知対象となる基地局または通信エリア（セル等）が複数ある場合は、複数の識別情報Ａのリストが通知されてもよい。
【００２３】
マスター基地局１０とともにＤＣを提供するセカンダリ基地局２０がサポートする少なくとも１つの周波数帯を通信端末３０が特定（又は検出）する際に、セカンダリ基地局２０は、セカンダリ基地局２０自身を識別するための識別情報Ｂを通信端末３０へ通知する。例えば、識別情報Ｂはセカンダリ基地局２０の識別子（e.g., Node B identity）でもよい。識別情報Ｂは、セカンダリ基地局２０自身による通信エリア（セル等）を識別するための識別情報であってもよい。例えば、識別情報Ｂはセカンダリ基地局２０が管理するセルの識別子（e.g., PCI, Cell Identity, or CGI）でもよい。これらは、セカンダリ基地局２０が管理し、且つマスター基地局１０と共にＤＣを提供することが可能なセカンダリ基地局２０による通信エリア（セル等）に相当するものに限定されてもよい。なお、ＰＣＩは明示的な情報として通知される代わりに、通信端末３０がセカンダリ基地局２０の送信する信号（e.g., 参照信号（Reference Signal: RS）, 同期信号（Synchronization Signal））を検出することによって暗示的に通知されてもよい。なお、通知対象となる通信エリア（セル等）が複数ある場合は、複数の識別情報Ｂのリストが通知されてもよい。例えば、セカンダリ基地局２０は、通信端末３０がセカンダリＲＡＴによる無線通信を行う際に、当該通信端末３０がサポートしているセカンダリＲＡＴの周波数帯を順にスキャンすることに備えて送信する信号（e.g., 報知情報）に含めることで識別情報Ｂを通知する。
【００２４】
通信端末３０は、マスター基地局１０から通知された識別情報Ａを記憶（store）する。一方、通信端末３０は、セカンダリ基地局２０から識別情報Ｂが通知された場合、識別情報Ｂが識別情報Ａに含まれるか否か確認し、含まれる否かに応じて、マスター基地局１０及びセカンダリ基地局２０とＤＣを実行することができるか否かを判定する。例えば、識別情報Ｂのうち少なくとも１つが識別情報Ａに含まれる場合、通信端末３０は当該ＤＣを実行することができると判定する。通信端末３０は、識別情報Ｂが識別情報Ａに含まれる場合に、マスター基地局１０とともにＤＣを提供するセカンダリ基地局２０がサポートする少なくとも１つの周波数帯を特定する。
【００２５】
（実施の形態１Ｂ）
図１で、通信端末３０がマスター基地局１０の通信エリア内およびセカンダリ基地局２０の通信エリア内に位置する状態にあることが示されている。しかし、セカンダリ基地局２０がマスター基地局１０とは別のマスター基地局とＤＣを実施するように構成されている場合は、マスター基地局１０はセカンダリ基地局２０を用いたＤＣを実行することができない。そのことを通信端末３０が特定し（又は検出し）、セカンダリＲＡＴを利用するＤＣを実行することができるか否かを判定する第二の方法を以下に説明する。
【００２６】
マスター基地局１０とともにＤＣを提供することが可能なセカンダリ基地局２０がサポートする少なくとも１つの周波数帯を通信端末３０が特定する（又は検出する）場合について説明する。この場合、セカンダリ基地局２０は、セカンダリ基地局２０を用いて（つまり、セカンダリ基地局２０と連携して）ＤＣを提供することが可能なマスター基地局１０を識別するための識別情報Ｃを通信端末３０へ通知する。言い換えると、セカンダリ基地局２０は、通信端末３０が当該セカンダリ基地局２０のセルを特定する（又は検出する）ために必要な情報を送信し、さらにマスター基地局１０を識別するための識別情報Ｃを当該セルにおいて送信する。識別情報Ｃは、マスター基地局１０による通信エリア（セル等）を識別するための識別情報であってもよい。例えば、識別情報Ｃは、マスター基地局１０が管理するセルの識別子（e.g., PCI, Cell Identity, or CGI）でもよい。これらは、マスター基地局１０が管理し、且つセカンダリ基地局２０と共にＤＣを提供することが可能なマスター基地局１０による通信エリア（セル等）に相当するものに限定されてもよい。なお、通知対象となる基地局または通信エリア（セル等）が複数ある場合は、複数の識別情報Ｃのリストが通知されてもよい。例えば、セカンダリ基地局２０は、通信端末３０が無線通信を行う際にサポートしている周波数帯を順にスキャンすることに備えて送信する信号に含めることで識別情報Ｃを通知する。
【００２７】
通信端末３０は、マスター基地局１０の通信エリア内で、通信端末３０が在圏しているマスター基地局１０（または在圏しているマスター基地局１０の通信エリア（セル等））を識別する識別情報を認識している。通信端末３０は、セカンダリ基地局２０から識別情報Ｃが通知された時、在圏しているマスター基地局１０（または在圏するマスター基地局１０の通信エリア（セル等））が識別情報Ｃに含まれるか確認する。通信端末３０は、マスター基地局１０が識別情報Ｃに含まれる否かに応じて、在圏しているマスター基地局１０及びセカンダリ基地局２０とＤＣを実行することができるか否かを判定する。例えば、在圏しているマスター基地局１０の通信エリア（セル等）が識別情報Ｃに含まれる場合、通信端末３０は当該ＤＣを実行することができると判定する。通信端末３０は、在圏しているマスター基地局１０（または在圏するマスター基地局１０の通信エリア（セル等））が識別情報Ｃに含まれる場合に、マスター基地局１０とともにＤＣを提供するセカンダリ基地局２０がサポートする少なくとも１つの周波数帯を特定する。
【００２８】
（実施の形態２）
続いて、図２を用いて実施の形態２にかかる通信システムの構成例について説明する。図２は、ＵＥ３５に対してＤＣを提供する際のC（Control）-Planeアーキテクチャを示している。C-Planeアーキテクチャは、C-Planeに関するトラヒックを伝送するために用いられる通信システムの構成を示している。図２の構成を用いてＵＥ３５に提供されるＤＣは、ＥＮ−ＤＣ（EUTRA （Evolved Universal Terrestrial Radio Access） NR DC）と称されてもよい。
【００２９】
図２の通信システムは、ＭｅＮＢ（Master evolved Node B）１１、ＳｇＮＢ（Secondary g Node B）２１、ＵＥ３５、及びＭＭＥ（Mobility Management Entity）４０を有している。ＭＭＥ４０は、ＥＰＣ（Evolved Packet Core）を構成するコアネットワーク装置もしくはコアネットワークノードである。ＭＭＥ４０は、主に、ＵＥ３５に関するモビリティの管理や制御を行う。
【００３０】
ＵＥ３５は、図１の通信端末３０に相当する。ＵＥは、３ＧＰＰにおいて通信端末の総称として用いられる。
【００３１】
ＭｅＮＢ１１は、図１のマスター基地局１０に相当する。ＭｅＮＢ１１は、無線アクセステクノロジーとしてＬＴＥをサポートする基地局である。ＳｇＮＢ２１は、図１のセカンダリ基地局２０に相当する。ＳｇＮＢ２１は、無線アクセステクノロジーとしてＮＲをサポートする基地局である。
【００３２】
ＵＥ３５とＭｅＮＢ１１との間のリファレンスポイントとしてＵｕが定められている。ＵＥ３５とＳｇＮＢ２１との間のリファレンスポイントとしてＵｕが定められている。ＭｅＮＢ１１とＳｇＮＢ２１との間のリファレンスポイントとしてＸ２−Ｃが定められている。ＭｅＮＢ１１とＭＭＥ４０との間のリファレンスポイントとして、Ｓ１−ＭＭＥが定められている。
【００３３】
続いて、図３を用いて、ＭｅＮＢ１１及びＳｇＮＢ２１が形成する通信エリアについて説明する。図３の通信エリアA_1は、ＭｅＮＢ１１が形成する通信エリア（e.g., セルA_1）を示している。つまり、通信エリアA_1においては、ＬＴＥを用いて無線通信が行われる。
【００３４】
図３の通信エリアB_1は、ＳｇＮＢ２１が形成する通信エリア（e.g., セルB_1）を示している。通信エリアB_1においては、ＮＲを用いて無線通信が行われる。ここで、ＳｇＮＢ２１は、通信エリアB_1において、周波数帯C_1を用いてＵＥと無線通信を行うことを可能とする。図３の通信エリアB_2は、図２には図示されていないＳｇＮＢ２１＿１が形成する通信エリア（e.g., セルB_2）を示している。通信エリアB_2においては、ＮＲを用いて無線通信が行われる。ここで、通信エリアB_2を形成するＳｇＮＢ２１＿１は、周波数帯C_2を用いてＵＥと無線通信を行うことを可能とする。図３の通信エリアB_3も通信エリアB_2と同様に、図２には図示されていないＳｇＮＢ２１＿２が形成する通信エリア（e.g., セルB_3）を示している。ここで、通信エリアB_3を形成するＳｇＮＢ２１＿２は、周波数帯C_3を用いてＵＥと無線通信を行うことを可能とする。
【００３５】
図３に示されるように、通信エリアB_1（e.g., セルB_1）、通信エリアB_2（e.g., セルB_2）、及び通信エリアB_3（e.g., セルB_3）は、通信エリアA_1（e.g., セルA_1）に含まれる。また、通信エリアB_2は、通信エリアB_1に含まれ、通信エリアB_3は、一部のエリアが通信エリアB_1に含まれる。以降では、各通信エリアをセルとして説明するが、本実施形態での説明は他の方法で規定される通信エリアでも適用可能である。
【００３６】
例えば、ＵＥ３５が、ＮＲを用いた通信を行う周波数帯として周波数帯C_1をサポートしている場合、ＭｅＮＢ１１は、ＳｇＮＢ２１とともに、セルB_1内に滞在するＵＥ３５に対してＤＣを提供することができる。言い換えると、ＵＥ３５は、セルB_1内に滞在しているとき、ＭｅＮＢ１１のセルA_1、及びＳｇＮＢ２１のセルB_1においてＤＣを実行することができる。また、ＮＲを用いた通信を行う周波数帯として周波数帯C_2をサポートしているＵＥは、セルB_2内に滞在しているとき、ＭｅＮＢ１１のセルA_1、及び図３には図示していないＳｇＮＢ２１＿１のセルB_2においてＤＣを実行することができる。
【００３７】
続いて、図４を用いて、ＵＥ３５におけるレイヤ（layer）構成について説明する。レイヤ構成に関する説明は、プロトコルスタックに関する説明に置き換えられてもよい。ＵＥ３５は、主に、RRC（Radio Resource Control） layer、NAS（Non Access Stratum） layer、及びApplication layerを有している。ＵＥ３５は、レイヤ毎に、処理を実行するプロセッサを有してもよく、一つのプロセッサが、RRC layer、NAS layer、及びApplication layerのうち２つ以上のlayerにおける処理を実行してもよい。なお、RRC layerはAS layerに包含されるレイヤの一例であり、RRC layerがAS layerに置き換えられてもよい。
【００３８】
RRC layerにおいては、プロセッサは、ＵＥ３５と、ＭｅＮＢ１１及びＳｇＮＢ２１との間において定められているRRCプロトコルを用いた処理を実行する。プロセッサは、RRC layerにおける処理を実行した後、実行結果もしくはUpper layerにおける処理に用いられるデータを、RRC layerからUpper layerへ通知（indicate）もしくは転送（forward）する。例えば、プロセッサは、RRC layerにおける実行結果を、RRC layerからUpper layerであるNAS layerへ出力する。Upper layerは、Higher layerと称されてもよい。なお、RRC layerの信号処理は、ＭｅＮＢ１１のＬＴＥセルにおける信号処理（i.e. LTE RRC processing）と、ＳｇＮＢ２１のＮＲセルにおける信号処理（i.e. NR RRC processing）に分けられる。このとき、RRC layerとして独立（個別）に２つが存在してもよい。これに代えて、RRC layerとしては１つ（e.g. LTE RRC layer）で、その一部として他方（e.g. NR RRC layer）が存在してもよい。なお、LTE RRCとNR RRCとの間での情報の交換は適宜行われてもよい。
【００３９】
NAS layerにおいては、プロセッサは、ＭＭＥ４０との間において定められているNASプロトコルを用いた処理を実行する。プロセッサは、NAS layerにおける処理を実行した後、NAS layerからApplication layerへ、NAS layerにおける処理の実行結果もしくはApplication layerにおける処理に用いられるデータを出力する。もしくは、プロセッサは、NAS layerにおける処理を実行した後、NAS layerからRRC layerへ、NAS layerにおける処理の実行結果もしくはRRC layerにおける処理に用いられるデータ又は制御情報を出力する。
【００４０】
Application layerにおける処理を実行するアプリケーションとして、5G indicator Applicationについて説明する。5G indicator Applicationは、ＵＥ３５が、ＬＴＥ及びＮＲを用いたＤＣを実行することができると決定（又は判定）された場合に、ＵＥ３５のディスプレイ等の表示部に、５Ｇ（ＮＲ）のシステムが利用できることを示す情報（以下、5G indicatorとする）を表示する。また、5G indicator Applicationは、ＵＥ３５が、ＬＴＥ及びＮＲを用いたＤＣを実行することができないと決定（又は判定）された場合に、ＵＥ３５のディスプレイ等の表示部に、５Ｇ（ＮＲ）のシステムが利用できないことを示す情報（以下、5G indicatorとする）を表示する。あるいは、5G indicator Applicationは、ＬＴＥ及びＮＲを用いたＤＣを実行することができないと決定（又は判定）された場合に、５Ｇ（ＮＲ）のシステムが利用できることを示す情報（以下、5G indicatorとする）の表示を中止する。例えば、5G indicator Applicationは、5G indicatorとして、表示部に「５Ｇ」との文字を表示してもよい。
【００４１】
例えば、5G indicator Applicationは、ＵＥ３５が、ＮＲを使用することに対する制限が無く、さらに、ＵＥ３５が、ＮＲを用いた通信に使用される周波数帯を特定すること（又は検出すること）ができた場合に、5G indicatorを表示してもよい。もしくは、5G indicator Applicationは、ＵＥ３５が、ＭｅＮＢ１１から、ＭｅＮＢ１１がローカルに利用可能なＮＲを用いたデュアルコネクティビティをサポートすることができることを示す情報を受信し、さらに、ＵＥ３５が、ＮＲを用いた通信に使用される周波数帯を特定すること（又は検出すること）ができた場合に、5G indicatorを表示してもよい。ここでは、ＬＴＥを利用可能な通信エリアは十分に広く普及しており、図３に示すように、ＮＲを用いた通信を行うことが可能な通信エリアは、ＬＴＥを用いた通信を行うことが可能な通信エリアに含まれることを前提とする。
【００４２】
なお、ＵＥ３５がＮＲを使用することに対する制限がないことを示す情報は、NAS layerにおいて終端されるNASメッセージに含まれてもよい。ＵＥ３５は、ＭｅＮＢ１１からNASメッセージを受信すると、NAS layerにおいて、ＵＥ３５がＮＲを使用することに対する制限がないことを示す情報を抽出し、抽出した情報をApplication layerへ出力してもよい。これに代えて、ＵＥ３５がNAS layerにおいて当該情報を抽出した場合、さらにRRC layerからＮＲを用いた通信に使用される周波数を特定すること（又は検出すること）ができたことを通知された場合、Application layerへ５Ｇ（ＮＲ）のシステムが利用できることを示す情報を出力してもよい。ＵＥ３５がＮＲを使用することに対する制限がないことを示す情報は、例えば、ATTACH Acceptメッセージに、ＮＲのセカンダリＲＡＴとしての使用が許可されることを示す情報（NR availability）として含まれてもよい。ATTACH Acceptメッセージは、ATTACH処理時に、ＭＭＥ４０からＭｅＮＢ１１を介して送信される。もしくは、ＵＥ３５がＮＲを使用することに対する制限がないことを示す情報は、例えば、TAU acceptメッセージに、ＮＲのセカンダリＲＡＴとしての使用が許可されることを示す情報（NR availability）として含まれてもよい。TAU acceptメッセージは、TAU処理時に、ＭＭＥ４０からＭｅＮＢ１１を介して送信される。つまり、ＵＥ３５は、当該情報が含まれるATTACH AcceptメッセージもしくはTAU acceptメッセージを受信すると、ＵＥ３５がＮＲを使用することに対する制限がないことを認識する。なお、NR availabilityは、NR authorization, NR permission, NR allowanceと呼ばれてもよい。
【００４３】
ＮＲを用いた通信に使用される周波数帯を特定する（又は検出する）処理について、図５を用いて説明する。例えば、ＵＥ３５は、ＵＥ３５がＮＲを用いた通信に使用することができる周波数帯としてサポートする周波数帯の一覧に関する情報を予め保持していてもよい。図５は、ＵＥ３５がＮＲを用いた通信に使用することができる周波数帯としてサポートする周波数帯の一覧を示している。図５は、ＵＥ３５が、ＮＲを用いた通信に使用される周波数帯として周波数帯_1〜周波数帯_N（Nは１以上の整数）をサポートしていることを示している。周波数帯_1〜周波数帯_Nは、２ＧＨｚ帯、５ＧＨｚ帯等の具体的な周波数帯に対応する。
【００４４】
RRC layerに関する処理を実行するプロセッサは、周波数帯_1〜周波数帯_Nをスキャンし、ＮＲを用いた通信に使用することができる周波数帯を特定する（又は検出する）。例えば、RRC layerに関する処理を実行するプロセッサは、パイロット信号、リファレンス信号、同期信号、もしくは報知情報等を正常に受信することができた周波数帯を、ＮＲを用いた通信に使用することができる周波数帯として特定してもよい。
【００４５】
RRC layerに関する処理を実行するプロセッサは、ＵＥ３５が、NR availabilityを受信した後に、周波数帯_1〜周波数帯_Nをスキャンし、ＮＲを用いた通信に使用することができる周波数帯を特定してもよい（又は検出してもよい）。例えば、NAS layerにおいてNR availabilityを受信したことが確認された場合に、NAS layerからRRC layerに対して、ＵＥ３５がサポートするＮＲを用いた通信に使用することができる周波数帯をスキャンすることを指示する情報が出力されてもよい。さらに、当該情報が、スキャンする周波数帯（e.g., 周波数帯_1〜周波数帯_N）を明示的に指示する情報を含んでいてもよい。プロセッサは、RRC layerの処理において、ＮＲを用いた通信に使用することができる周波数帯を特定した（又は検出した）場合、特定した（又は検出した）周波数帯を示す情報もしくはＮＲを用いた通信に使用することができる周波数帯を特定したこと（又は検出したこと）を示す情報（以下、ＮＲ特定情報とする）を、NAS layerへ出力してもよい。これに代えて、プロセッサは、当該ＮＲ特定情報をNAS layerを介してApplication layerへ出力してもよい。
【００４６】
5G indicator Applicationは、Application layerにおいて、NR availability及びＮＲ特定情報を確認することができた場合に、表示部に5G indicatorを表示する。又は、5G indicator Applicationは、Application layerにおいて、NAS layerから通知される５Ｇ（ＮＲ）のシステムが利用できることを示す情報を確認することができた場合に、表示部に5G indicatorを表示する。
【００４７】
以上説明したように、実施の形態２にかかるＵＥ３５は、ＭＭＥ４０から、ＭｅＮＢ１１を介してＮＲのセカンダリＲＡＴとしての使用が許可されることを示す情報（NR availability）を受信した場合に、ＮＲを用いた通信に使用することができる周波数帯を特定する処理を実行する。ＵＥ３５がＮＲを用いた通信に使用することができる周波数帯を特定することができた場合、これはＮＲをサポートするＳｇＮＢと通信することができることを意味する。そのため、ＵＥ３５は、NR availabilityを受信し、さらに、ＮＲを用いた通信に使用することができる周波数帯を特定することによって、ＵＥ３５の現在位置において、ＬＴＥ及びＮＲを用いたＤＣを実行することができることを決定する（又は実行することができると認識する）ことができる。
【００４８】
さらに、ＵＥ３５は、ＬＴＥ及びＮＲを用いたＤＣを実行することができることを決定した場合に、表示部に5G indicatorを表示する。例えば、ＵＥ３５が、ＮＲのセカンダリＲＡＴとしての使用が許可されることを示す情報（NR availability）を受信したことによって、表示部に5G indicatorを表示した場合、ＵＥ３５が、ＮＲの通信エリア外に位置すると、実際にはＬＴＥ及びＮＲを用いたＤＣを実行することができない。つまり、ＵＥ３５が、NR availabilityを受信したことによって、表示部に5G indicatorを表示した場合、実際にはＬＴＥ及びＮＲを用いたＤＣを実行することができない場合にも、表示部に5G indicatorを表示してしまうことがある。
【００４９】
一方本開示においては、ＵＥ３５は、NR availabilityを受信し、さらに、ＮＲを用いた通信に使用することができる周波数帯を特定すること（又は検出すること）ができた場合、ＬＴＥ及びＮＲを用いたＤＣを実行することができる（又はＤＣを実行することができる状況にある）と認識する。このような場合に、表示部に5G indicatorを表示することによって、ＵＥ３５は、ＵＥ３５を利用するユーザに対して、５Ｇ（ＮＲ）のシステムを利用可能か否かについて正確な情報を通知することができる。
【００５０】
（実施の形態３）
続いて、図６を用いて実施の形態３にかかるＭｅＮＢ１１の構成例について説明する。ＭｅＮＢ１１は、制御部１５及び通信部１６を有している。制御部１５及び通信部１６は、プロセッサがメモリに格納されたプログラムを実行することによって処理が実行されるソフトウェアもしくはモジュールであってもよい。または、制御部１５及び通信部１６は、回路もしくはチップ等のハードウェアであってもよい。
【００５１】
通信部１６は、ＬＴＥを用いてＵＥ３５と無線通信を行う。例えば、通信部１６は、ＭｅＮＢ１１が形成する通信エリア内に位置する少なくとも１つのＵＥに対して、報知情報を送信する。報知情報を送信することは、報知情報をブロードキャストすると言い換えられてもよい。
【００５２】
制御部１５は、報知情報に含まれる情報もしくはパラメータを決定する。制御部１５は、ＭｅＮＢ１１とともにＤＣを提供するＳｇＮＢ２１がサポートする周波数帯に関する情報を報知情報に含める。例えば、制御部１５は、ＭｅＮＢ１１とともにＤＣを提供するＳｇＮＢ２１がサポートする周波数帯に関する情報を、報知情報として送信されるＳＩＢ（System Information Block）に含めてもよい。さらに、制御部１５は、ＭｅＮＢ１１とともにＤＣを提供するＳｇＮＢであって、ＳｇＮＢ２１とは異なるＳｇＮＢがサポートする周波数帯に関する情報を報知情報に含めてもよい。つまり制御部１５は、ＭｅＮＢ１１とともにＤＣを提供することができる複数のＳｇＮＢのそれぞれのＳｇＮＢがサポートする周波数帯に関する情報を報知情報（e.g. SIB）に含めてもよい。
【００５３】
また、制御部１５は、ＰＬＭＮ（Public Land Mobile Network）毎に、ＭｅＮＢ１１とともにＤＣを提供するＳｇＮＢ２１がサポートする周波数帯に関する情報を報知情報（e.g. SIB）に含めるか否かを決定してもよい。
【００５４】
ＭｅＮＢ１１とともにＤＣを提供することができるＳｇＮＢがサポートする周波数帯に関する情報は、予め定められており、ＭｅＮＢ１１内のメモリ等に格納されていてもよい。
【００５５】
制御部１５は、ＭｅＮＢ１１とともにＤＣを提供するＳｇＮＢ２１がサポートする周波数帯に関する情報を、周波数帯識別子（ＦＢＩ（Frequency Band Indicator））のリスト、またはキャリア周波数（carrier frequency）のリストとして示してもよい。キャリア周波数は、予め仕様に規定される周波数の番号（ＡＲＦＣＮ（Absolute Radio Frequency Channel Number））によって示されてもよい。もしくは、制御部１５は、ＭｅＮＢ１１とともにＤＣを提供するＳｇＮＢ２１がサポートする周波数帯に関する情報を、ＭｅＮＢ１１とともにＤＣを提供するＳｇＮＢ２１がサポートする周波数帯又はキャリア周波数と、ＭｅＮＢ１１がＵＥとの通信に使用するサービングセルの周波数帯（e.g., FBI）又はキャリア周波数との組み合わせを明示的に、又は当該組み合わせに対応するＩｎｄｅｘ値によって暗示的に示してもよい。ここで、周波数帯の組み合わせ及びキャリア周波数の組み合わせは、Ｂａｎｄ  Ｃｏｍｂｉｎａｔｉｏｎ（BC）及びＣａｒｒｉｅｒ  Ｆｒｅｑｕｅｎｃｙ  Ｃｏｍｂｉｎａｔｉｏｎ（e.g. CFC, FC）として予め仕様に規定されてもよいし、制御信号（e.g. RRC signaling）によってＭｅＮＢ１１からＵＥ３５へ通知されてもよい。同様に、当該Ｉｎｄｅｘ値の決定方法は、予め仕様に規定されていてもよいし、制御信号によってＭｅＮＢ１１からＵＥ３５へ通知されてもよい。また、制御部１５は、当該リスト又はＩｎｄｅｘ値を報知情報（e.g. SIB）に含めてもよい。なお、上述のＳｇＮＢ２１がサポートする周波数帯とは、ＳｇＮＢ２１がサポートする周波数帯、且つＭｅＮＢ１１とのＤＣを提供することが可能な周波数帯でもよい。もしくは、ＳｇＮＢ２１がサポートする周波数帯とは、ＳｇＮＢ２１がサポートする周波数帯、且つＭｅＮＢ１１とのＤＣを提供している周波数帯でもよい。
【００５６】
次に、ＵＥ３５における、ＮＲを用いた通信に使用される周波数帯（又はキャリア周波数）を特定する（又は検出する）処理について説明する。ＵＥ３５は、ＭｅＮＢ１１から報知情報を受信すると、ＭｅＮＢ１１とともにＤＣを提供するＳｇＮＢ２１がサポートする周波数帯に関する情報を抽出する。
【００５７】
ＭｅＮＢ１１とともにＤＣを提供するＳｇＮＢ２１がサポートする周波数帯に関する情報を抽出する処理は、例えば、RRC layerにおいて行われてもよい。ＵＥ３５は、ＮＲを用いた通信に使用される周波数帯（又はキャリア周波数）を特定する（又は検出する）場合、ＵＥ３５がＮＲを用いた通信に使用することができる周波数帯（又はキャリア周波数）としてサポートする１つ又は複数の周波数帯（又はキャリア周波数）のうち、ＭｅＮＢ１１とともにＤＣを提供するＳｇＮＢ２１がサポートする周波数帯（又はキャリア周波数）と重複する周波数帯（又はキャリア周波数）をスキャン対象とする。
【００５８】
図７は、ＵＥ３５がＮＲを用いた通信に使用することができる周波数帯（又はキャリア周波数）のうち、ＵＥ３５におけるスキャン対象の周波数帯（又はキャリア周波数）が、周波数帯_2及び周波数帯_3であることを示している。ＵＥ３５は、周波数帯_2及び周波数帯_3をスキャンし、ＮＲを用いた通信に使用することができる周波数帯（又はキャリア周波数）を特定する（又は検出する）。
【００５９】
以上説明したように、実施の形態３にかかるＭｅＮＢ１１は、ＭｅＮＢ１１とともにＤＣを提供することができるＳｇＮＢがサポートする周波数帯に関する情報を含んだ報知情報を、少なくとも１のＵＥへ、ブロードキャストすることができる。
【００６０】
ＵＥ３５は、ＵＥ３５がＮＲを用いた通信に使用される周波数帯としてサポートする全ての周波数帯をスキャンするのではなく、ＭｅＮＢ１１とともにＤＣを提供するＳｇＮＢ２１がサポートする周波数帯と重複する周波数帯をスキャンする。これにより、ＵＥ３５におけるスキャン対象の周波数帯は、ＵＥ３５がＮＲを用いた通信に使用される周波数帯としてサポートする全ての周波数帯をスキャンする場合と比較して、少なくなる。その結果、周波数帯をスキャンする処理に係る電力の消費を低減させることができる。
【００６１】
（実施の形態４）
続いて、図８を用いて実施の形態４にかかるＮＲを用いた通信に使用される周波数帯（又はキャリア周波数）を特定する処理の流れについて説明する。図８においては、図２に示される通信システムに、U-Planeデータの伝送を行うＳＧＷ６０及びＰＧＷ６１、ポリシー情報を管理するＰＣＲＦ６２、並びにＵＥの加入者情報を管理するＨＳＳ６３が追加された通信システムにおける処理の流れについて説明する。図８は、ＵＥ３５に関するAttach処理の流れを示している。
【００６２】
はじめに、ＵＥ３５は、ＭｅＮＢ１１を介してＭＭＥ４０へ、Attach requestメッセージを送信する（Ｓ１１）。Attach requestメッセージは、ＵＥ３５が、ＮＲを（セカンダリＲＡＴとして）用いたＤＣを実行することができることを示す情報を含む。ＵＥ３５が、ＮＲを（セカンダリＲＡＴとして）用いたＤＣを実行することができることを示す情報は、例えば、Attach requestメッセージに含まれるパラメータとして、dual connectivity with NR support又はEN-DC supportと示されてもよい。ＵＥ３５が、ＮＲを（セカンダリＲＡＴとして）用いたＤＣを実行することができるとは、ＵＥ３５が、ＮＲを（セカンダリＲＡＴとして）用いた通信を行う際に必要となる周波数帯（又はキャリア周波数）を（ＬＴＥのサービングセルの周波数帯との同時使用を）サポートしていることと言い換えられてもよい。
【００６３】
次に、ＭＭＥ４０は、ＨＳＳ６３へ、Update Location requestメッセージを送信する（Ｓ１２）。次に、ＨＳＳ６３は、Update Location requestメッセージの応答メッセージとして、Update Location AckメッセージをＭＭＥ４０へ送信する。ＨＳＳ６３は、Update Location Ackメッセージに、5G secondary RAT access restrictionを含める。5G secondary RAT access restrictionは、ＵＥ３５がＤＣを実行する際に、ＮＲをセカンダリＲＡＴとして使用することに対する制限があるか否かを示す情報である。ＨＳＳ６３は、ＵＥ３５がＮＲをセカンダリＲＡＴとして使用することに対する制限があるか否かを示す情報を加入者情報として保持している。また、ＨＳＳ６３は、ＵＥ３５がＮＲを用いたＤＣを実行することができることを示す情報を含むUpdate Location requestメッセージを受信した場合に、5G secondary RAT access restrictionを含むUpdate Location Ackメッセージを送信してもよい。
【００６４】
次に、ＭＭＥ４０、ＳＧＷ６０、ＰＧＷ６１、およびＰＣＲＦ６２との間において、ＳＧＷ６０とＰＧＷ６１の間にS5 tunnelを設定するための処理（S5 tunnel creation）が実行される（Ｓ１４）。
【００６５】
次に、ＭＭＥ４０は、ＵＥ３５がＮＲを使用することに対する制限があるか否かを判定する（Ｓ１５）。ＭＭＥ４０は、ステップＳ１３において受信したUpdate Location Ackメッセージに含まれる5G secondary RAT access restrictionを確認し、ＵＥ３５がＮＲを使用することに対する制限があるか否かを判定する。
【００６６】
次に、ＭＭＥ４０は、ＭｅＮＢ１１へ、Initial Context Setup Requestメッセージを送信する（Ｓ１６）。ＭＭＥ４０は、Initial Context Setup Requestメッセージに、UE Radio Capability informationを含める。UE Radio Capability informationは、ＵＥ３５が無線通信に使用可能な少なくとも１つの周波数帯に関する情報である。言い換えると、UE Radio Capability informationは、ＵＥ３５が無線通信を行うためにサポートしている少なくとも１つの周波数帯に関する情報である。ＵＥ３５が無線通信を行うためにサポートしている少なくとも１つの周波数帯に関する情報は、例えば、ＵＥ３５が、ステップＳ１１におけるAttach requestメッセージに含めてもよい。
【００６７】
さらに、ＭＭＥ４０は、ＭｅＮＢ１１にInitial Context Setup Requestメッセージを送信する（Ｓ１６）。Initial Context Setup Requestメッセージには、Attach Acceptメッセージを含ませる。Attach Acceptメッセージは、ＵＥ３５において終端されるメッセージである。具体的には、Attach Acceptメッセージは、ＮＡＳメッセージである。つまり、Initial Context Setup Requestメッセージ（Ｓ１６）に含まれるAttach Acceptメッセージは、ＭｅＮＢ１１により透過的にＲＲＣメッセージにＮＡＳ情報（e.g., NAS PDU）として含められＵＥ３５に送信される。RRC Connection Reconfigurationメッセージ（Ｓ１８）がAttach Acceptメッセージを送信するメッセージであってもよい。ここで、ＭＭＥ４０は、ステップＳ１５において、ＵＥ３５がＮＲをセカンダリＲＡＴとして使用することに対する制限がないと判定した場合、Attach Acceptメッセージに、ＮＲのセカンダリＲＡＴとしての使用が許可されることを示す情報（NR availability）を含める。
【００６８】
次に、ＭｅＮＢ１１は、UE Radio Capability information、及びＤＣを実行する際に連携するＳｇＮＢにおいてサポートされるＮＲの周波数帯に関する情報を用いて、ＵＥ３５に対して、提供可能なＮＲの周波数帯（又はキャリア周波数）を決定する（Ｓ１７）。ＤＣを実行する際に連携するＳｇＮＢにおいてサポートされるＮＲの周波数帯（又はキャリア周波数）は、例えば、ＵＥ３５が登録されているＴＡ（Tracking Area）内において、ＭｅＮＢ１１もしくは他のＭｅＮＢとの間にリファレンスポイントとしてＸ２−Ｃを設定（setup）しているＳｇＮＢがサポートする周波数帯（又はキャリア周波数）である。つまり、ＭｅＮＢ１１は、他のＭｅＮＢがＤＣを提供する際に連携するＳｇＮＢにおいてサポートされている周波数帯に関する情報も保持している。ＭｅＮＢ１１は、例えば、他のＭｅＮＢがＤＣを提供する際に連携するＳｇＮＢにおいてサポートされている周波数帯に関する情報を、Ｘ２−ＣもしくはＸ２リファレンスポイントを介して接続されている他のｅＮＢから受信してもよい。
【００６９】
例えば、ＭｅＮＢ１１は、UE Radio Capability informationに示されている周波数帯（又はキャリア周波数）と、ＤＣを実行する際にＳｇＮＢによってサポートされる周波数帯（又はキャリア周波数）とのうち、重複する周波数帯（又はキャリア周波数）を、ＵＥ３５に対して、提供可能なＮＲの周波数帯（又はキャリア周波数）として決定してもよい。
【００７０】
次に、ＭｅＮＢ１１は、ＵＥ３５へRRC Connection Reconfigurationメッセージを送信する（Ｓ１８）。ＭｅＮＢ１１は、ＵＥ３５に対して提供可能なＮＲの周波数帯に関する情報及びＮＲのセカンダリＲＡＴとしての使用が許可されていることを示す情報（NR availability）がＮＡＳ情報（e.g., NAS PDU）として含まれるAttach AcceptメッセージをRRC Connection Reconfigurationメッセージで送信する。また、ＭｅＮＢ１１は、ＵＥ３５に対して提供可能なＮＲの周波数帯に関する情報をRRC Connection Reconfigurationメッセージで、ＵＥ３５に送信してもよい。当該情報は、周波数帯（ＦＢＩ）又はキャリア周波数（ＡＲＦＣＮ）、あるいはそれらのリストとして示されてもよい。
【００７１】
コアネットワークは、ＵＥ３５の（位置）登録を複数のＴＡに対して行っても良い。言い換えると、ＵＥ３５は複数のＴＡに対して（位置）登録されてもよい。この場合、コアネットワーク（e.g. ＭＭＥ）及びＵＥ３５は当該複数のＴＡをＴＡリスト（ＴＡＩ（Tracking Area Identity）  Ｌｉｓｔ）として保管（store）してもよい。この場合、ＭＭＥはＭｅＮＢ１１にＵＥ３５のＴＡリストを、Ｓ１ＡＰメッセージ（e.g. Initial Context Setup Request）で通知してもよい。ＭｅＮＢ１１は、ＵＥ３５に対して提供可能なＮＲの周波数帯に関する情報を、ＴＡリストに含まれるＴＡ毎に含めてもよい。なお、ＴＡリストは、ＵＥ３５からＭｅＮＢ１１にRRCメッセージで送信されてもよい。
【００７２】
図９に移り、次に、ＵＥ３５は、Attach AcceptメッセージにNR availabilityが含まれ、かつ、ＵＥ３５に対して提供可能なＮＲの周波数帯に関する情報を受信すると、ＵＥ３５に対して提供可能なＮＲの周波数帯のスキャンを開始する（Ｓ１９）。例えば、ＵＥ３５のＮＡＳレイヤが当該ＮＡＳ情報の受信に応答して、ＵＥ３５のＡＳレイヤ（e.g., RRC）にスキャンの開始を指示（トリガー）してもよい。このとき、さらにＵＥ３５のＡＳレイヤがＮＲの周波数帯に関する情報を受信しているかに応じて、スキャンを行うか否かを判定してもよい。
【００７３】
次に、ＵＥ３５は、ステップＳ１８において受信したRRC Connection Reconfigurationメッセージに対する応答としてRRC Connection Reconfiguration CompleteメッセージをＭｅＮＢ１１へ送信する（Ｓ２０）。次に、ＭｅＮＢ１１は、ステップＳ１６において受信したInitial Context Setup Requestメッセージに対する応答として、Initial Context Setup ResponseメッセージをＭＭＥ４０へ送信する（Ｓ２１）。
【００７４】
図９において、ＵＥ３５は、ＵＥ３５に対して提供可能なＮＲの周波数帯のスキャンを開始した後に、RRC Connection Reconfiguration CompleteメッセージをＭｅＮＢ１１へ送信することを説明したが、ＵＥ３５は、RRC Connection Reconfiguration CompleteメッセージをＭｅＮＢ１１へ送信した後に、ＵＥ３５に対して提供可能なＮＲの周波数帯のスキャンを開始してもよい。
【００７５】
次に、ＵＥ３５を構成する通信部３１は、ＵＥ３５に対して提供可能なＮＲの周波数帯のスキャンをし、いずれかの周波数帯において、信号を検出することができた場合、通信部３１(RRC Layer)は、５Ｇサービスが利用可能である事を制御部３２（NAS layer、つまりRRC Layerから見たUpper Layer）に通知する。また、いずれの周波数帯においても信号を検出することができない場合、通信部３１(RRC Layer)は、５Ｇサービスが利用不可能である事を制御部３２（NAS layer、つまりRRC Layerから見たUpper Layer）に通知する。また、この通知は、信号を検出することができた状態から信号を検出することができなくなった場合、あるいは、信号を検出することができない状態から信号を検出することができる状態になった場合（つまり、状況が変わった場合）にのみ通知してもかまわない。このようにＵＥ３５は、この通知にもとづき、5G indicatorの表示を制御する。
【００７６】
以上説明したように、実施の形態４にかかるＭｅＮＢ１１は、ＵＥ３５に関するAttach処理において、ＭｅＮＢ１１とともにＤＣを提供することができるＳｇＮＢ、もしくは他のＭｅＮＢとともにＤＣを提供することができるＳｇＮＢがサポートする周波数帯に関する情報を含んだ情報をＵＥ３５へ送信することができる。
【００７７】
ＵＥ３５は、ＭｅＮＢ１１からＴＡ内においてＤＣを実行する際に用いられる複数又は全ての周波数帯に関する情報を受信する。そのため、ＵＥ３５が、ＴＡ内を移動した場合、移動先の通信エリア（セル等）を形成するＭｅＮＢから、新たにＮＲの周波数帯に関する情報を受信することなく、ＮＲをセカンダリＲＡＴとして用いるＤＣを実行することができるか否か（又は、ＤＣを実行することができる状況にあるか否か）を決定する（又は認識する）ことができる。従って、ＵＥ３５において、５Ｇ（ＮＲ）のシステムが利用可能か否かを判定し、利用可能である場合にはＵＥ３５の表示部に5G indicatorを表示することができる。さらに、ＵＥ３５はＴＡリストに含まれるＴＡ毎に、ＮＲをセカンダリＲＡＴとして用いるＤＣを実行することが可能なＮＲの周波数帯に関する情報を受信している場合、ＴＡを変更（再選択）した後も、新たにＮＲの周波数帯に関する情報を受信することなく、ＮＲをセカンダリＲＡＴとして用いるＤＣを実行することができるか否か（又は、ＤＣを実行することができる状況にあるか否か）を決定する（又は認識する）ことができる。
【００７８】
また、上述の実施の形態２乃至４においては、コアネットワークとしてＥＰＣを用いる構成について説明したが、コアネットワークには５ＧＣ（5G Core）が用いられてもよい。ここで、図１０を用いて５ＧＣを用いた場合の通信システムの構成例について説明する。図１０の構成を用いてＵＥ３５に提供されるＤＣは、ＮＧ−ＥＮ−ＤＣと称されてもよい。
【００７９】
図１０の通信システムは、ＡＭＦ５０、ＵＥ３５、ＭＮ（Master Node）１２、及びＳＮ（Secondary Node）２２を有している。ＵＥ３５は、図３と同様であるため詳細な説明を省略する。
【００８０】
ＡＭＦ５０は、５ＧＣを構成するコアネットワーク装置もしくはコアネットワークノードである。ＡＭＦ５０は、ＵＥ３５に関するモビリティ制御を行う。
【００８１】
ＭＮ１２は、ＭｅＮＢ１１に相当するノードである。ＭＮ１２は、コアネットワークとして５ＧＣが用いられる場合に、ＭｅＮＢ１１を示すノード装置として用いられる名称である。つまり、ＭＮ１２は、ＭｅＮＢ１１に置き換えられてもよい。ＳＮ２２は、ＳｇＮＢ２１に相当するノードである。ＳＮ２２は、コアネットワークとして５ＧＣが用いられる場合に、ＳｇＮＢ２１を示すノード装置として用いられる名称である。つまり、ＳＮ２２は、ＳｇＮＢ２１に置き換えられてもよい。
【００８２】
ＵＥ３５とＭＮ１２との間のリファレンスポイントとしてＵｕが定められている。ＵＥ３５とＳＮ２２との間のリファレンスポイントとしてＵｕが定められている。ＭＮ１２とＳＮ２２との間のリファレンスポイントとしてＸｎ−Ｃが定められている。ＭＮ１２とＡＭＦ５０との間のリファレンスポイントとして、ＮＧ−Ｃ（又は、Ｎ２）が定められている。上述の実施形態で説明されたＳ１ＡＰメッセージ(又は、それらと同様のメッセージ)は、ＮＧＡＰメッセージ（又はＮ２ＡＰメッセージ）として規定されてもよい。
【００８３】
続いて以下では、上述の複数の実施形態で説明された、ＭｅＮＢ１１、通信端末３０の構成例について説明する。図１１は、ＭｅＮＢ１１の構成例を示すブロック図である。図１１を参照すると、ＭｅＮＢ１１は、RFトランシーバ１００１、ネットワークインターフェース１００３、プロセッサ１００４、及びメモリ１００５を含む。RFトランシーバ１００１は、UEsと通信するためにアナログRF信号処理を行う。RFトランシーバ１００１は、複数のトランシーバを含んでもよい。RFトランシーバ１００１は、アンテナ１００２及びプロセッサ１００４と結合される。RFトランシーバ１００１は、変調シンボルデータ（又はOFDMシンボルデータ）をプロセッサ１００４から受信し、送信RF信号を生成し、送信RF信号をアンテナ１００２に供給する。また、RFトランシーバ１００１は、アンテナ１００２によって受信された受信ＲＦ信号に基づいてベースバンド受信信号を生成し、これをプロセッサ１００４に供給する。
【００８４】
ネットワークインターフェース１００３は、ネットワークノード（e.g., 他のコアネットワークノード）と通信するために使用される。ネットワークインターフェース１００３は、例えば、IEEE 802.3 seriesに準拠したネットワークインターフェースカード（NIC）を含んでもよい。
【００８５】
プロセッサ１００４は、無線通信のためのデジタルベースバンド信号処理を含むデータプレーン処理とコントロールプレーン処理を行う。例えば、LTEおよび5Gの場合、プロセッサ１００４によるデジタルベースバンド信号処理は、MACレイヤ、およびPHYレイヤの信号処理を含んでもよい。
【００８６】
プロセッサ１００４は、複数のプロセッサを含んでもよい。例えば、プロセッサ１００４は、デジタルベースバンド信号処理を行うモデム・プロセッサ（e.g., DSP）、及びコントロールプレーン処理を行うプロトコルスタック・プロセッサ（e.g., CPU又はMPU）を含んでもよい。
【００８７】
メモリ１００５は、揮発性メモリ及び不揮発性メモリの組み合わせによって構成される。メモリ１００５は、物理的に独立した複数のメモリデバイスを含んでもよい。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。メモリ１００５は、プロセッサ１００４から離れて配置されたストレージを含んでもよい。この場合、プロセッサ１００４は、ネットワークインターフェース１００３又は図示されていないI/Oインタフェースを介してメモリ１００５にアクセスしてもよい。
【００８８】
メモリ１００５は、上述の複数の実施形態で説明されたＭｅＮＢ１１による処理を行うための命令群およびデータを含むソフトウェアモジュール（コンピュータプログラム）を格納してもよい。いくつかの実装において、プロセッサ１００４は、当該ソフトウェアモジュールをメモリ１００５から読み出して実行することで、上述の実施形態で説明されたＭｅＮＢ１１の処理を行うよう構成されてもよい。
【００８９】
図１２は、通信端末３０の構成例を示すブロック図である。Radio Frequency（RF）トランシーバ１１０１は、ｅＮＢ６０と通信するためにアナログRF信号処理を行う。RFトランシーバ１１０１により行われるアナログRF信号処理は、周波数アップコンバージョン、周波数ダウンコンバージョン、及び増幅を含む。RFトランシーバ１１０１は、アンテナ１１０２及びベースバンドプロセッサ１１０３と結合される。すなわち、RFトランシーバ１１０１は、変調シンボルデータ（又はOFDMシンボルデータ）をベースバンドプロセッサ１１０３から受信し、送信RF信号を生成し、送信RF信号をアンテナ１１０２に供給する。また、RFトランシーバ１１０１は、アンテナ１１０２によって受信された受信ＲＦ信号に基づいてベースバンド受信信号を生成し、これをベースバンドプロセッサ１１０３に供給する。
【００９０】
ベースバンドプロセッサ１１０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【００９１】
例えば、LTEおよび5Gの場合、ベースバンドプロセッサ１１０３によるデジタルベースバンド信号処理は、Packet Data Convergence Protocol（PDCP）レイヤ、Radio Link Control（RLC）レイヤ、MACレイヤ、およびPHYレイヤの信号処理を含んでもよい。また、ベースバンドプロセッサ１１０３によるコントロールプレーン処理は、Non-Access Stratum（NAS）プロトコル、RRCプロトコル、及びMAC CEの処理を含んでもよい。
【００９２】
ベースバンドプロセッサ１１０３は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）、又はMicro Processing Unit（MPU））を含んでもよい。この場合、コントロールプレーン処理を行うプロトコルスタック・プロセッサは、後述するアプリケーションプロセッサ１１０４と共通化されてもよい。
【００９３】
アプリケーションプロセッサ１１０４は、CPU、MPU、マイクロプロセッサ、又はプロセッサコアとも呼ばれる。アプリケーションプロセッサ１１０４は、複数のプロセッサ（複数のプロセッサコア）を含んでもよい。アプリケーションプロセッサ１１０４は、メモリ１１０６又は図示されていないメモリから読み出されたシステムソフトウェアプログラム（Operating System（OS））及び様々なアプリケーションプログラムを実行することによって、通信端末３０の各種機能を実現する。アプリケーションプログラムは、例えば、通話アプリケーション、WEBブラウザ、メーラ、カメラ操作アプリケーション、音楽再生アプリケーションであってもよい。
【００９４】
いくつかの実装において、図１２に破線（１１０５）で示されているように、ベースバンドプロセッサ１１０３及びアプリケーションプロセッサ１１０４は、１つのチップ上に集積されてもよい。言い換えると、ベースバンドプロセッサ１１０３及びアプリケーションプロセッサ１１０４は、１つのSystem on Chip（SoC）デバイス１１０５として実装されてもよい。SoCデバイスは、システムLarge Scale Integration（LSI）またはチップセットと呼ばれることもある。
【００９５】
メモリ１１０６は、揮発性メモリ若しくは不揮発性メモリ又はこれらの組合せである。メモリ１１０６は、物理的に独立した複数のメモリデバイスを含んでもよい。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。例えば、メモリ１１０６は、ベースバンドプロセッサ１１０３、アプリケーションプロセッサ１１０４、及びSoC１１０５からアクセス可能な外部メモリデバイスを含んでもよい。メモリ１１０６は、ベースバンドプロセッサ１１０３内、アプリケーションプロセッサ１１０４内、又はSoC１１０５内に集積された内蔵メモリデバイスを含んでもよい。さらに、メモリ１１０６は、Universal Integrated Circuit Card（UICC）内のメモリを含んでもよい。
【００９６】
メモリ１１０６は、上述の複数の実施形態で説明された通信端末３０による処理を行うための命令群およびデータを含むソフトウェアモジュール（コンピュータプログラム）を格納してもよい。いくつかの実装において、ベースバンドプロセッサ１１０３又はアプリケーションプロセッサ１１０４は、当該ソフトウェアモジュールをメモリ１１０６から読み出して実行することで、上述の実施形態で説明された通信端末３０の処理を行うよう構成されてもよい。
【００９７】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体、光磁気記録媒体、ＣＤ−ＲＯＭ（Read Only Memory）、ＣＤ−Ｒ、ＣＤ−Ｒ／Ｗ、半導体メモリを含む。磁気記録媒体は、例えばフレキシブルディスク、磁気テープ、ハードディスクドライブであってもよい。光磁気記録媒体は、例えば光磁気ディスクであってもよい。半導体メモリは、例えば、マスクＲＯＭ、ＰＲＯＭ（Programmable ROM）、ＥＰＲＯＭ（Erasable PROM）、フラッシュＲＯＭ、ＲＡＭ（Random Access Memory）であってもよい。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９８】
（その他の実施形態）
なお、本開示は上記実施の形態に限られたものではなく、趣旨を逸脱しない範囲で適宜変更することが可能である。また、本開示は、それぞれの実施の形態を適宜組み合わせて実施されてもよい。例えば、上記実施の形態では、通信端末が、それぞれ特定の無線アクセステクノロジー（ＲＡＴ）に関連付けられたマスター基地局及びセカンダリ基地局と同時に通信を行うデュアルコネクティビティ（ＤＣ）を想定して説明された。しかし、本開示はＤＣに限定されない。例えば本開示は、通信端末（ＵＥ）が、マスター基地局（e.g. ＬＴＥ  ｅＮＢ）のセルとセカンダリ基地局（e.g. ＮＲ  ｇＮＢ）のセルをキャリアアグリゲーション（ＣＡ）する場合に適用されてもよい。この場合、ＮＲのセカンダリＲＡＴとしての使用が許可されることを示す情報（NR availability）が、ＮＲのセルをセカンダリセルとして使用することを許可されていることを示してもよい。さらに、又はこれに代えて、ＮＲのセルをセカンダリセルとして使用することを許可されていることを示す別の情報（e.g. NR availability for CA）が、コアネットワーク（e.g. ＭＭＥ）又は基地局（e.g. マスター基地局）から通信端末（ＵＥ）に送信されてもよい。
【００９９】
以上、実施の形態を参照して本願発明を説明したが、本願発明は上記によって限定されるものではない。本願発明の構成や詳細には、発明のスコープ内で当業者が理解し得る様々な変更をすることができる。
【０１００】
この出願は、２０１７年８月９日に出願された日本出願特願２０１７−１５４３９１を基礎とする優先権を主張し、その開示の全てをここに取り込む。
【０１０１】
上記の実施形態の一部又は全部は、以下の付記のようにも記載されうるが、以下には限られない。
（付記１）
第１の無線アクセステクノロジーに関連付けられたマスター基地局及び第２の無線アクセステクノロジーに関連付けられたセカンダリ基地局と同時に通信する通信手段と、
前記マスター基地局から、前記第２の無線アクセステクノロジーを用いたデュアルコネクティビティを使用することを許可されていることを示す情報を受信する受信手段と、
前記マスター基地局とともにデュアルコネクティビティを提供する前記セカンダリ基地局がサポートする少なくとも１つの周波数帯を特定する制御手段と、を備える通信端末。
（付記２）
前記制御手段は、
前記少なくとも１つの周波数帯を特定した場合、前記第２の無線アクセステクノロジーを利用することができることを示す情報を表示手段へ表示させるか否かを判定する、付記１に記載の通信端末。
（付記３）
前記制御手段は、
前記少なくとも１つの周波数帯を特定し、かつ、前記マスター基地局から、前記マスター基地局がローカルに利用可能な第２の無線アクセステクノロジーを用いたデュアルコネクティビティをサポートすることができることを示す情報を受信した場合に、前記第２の無線アクセステクノロジーを利用することができることを示す情報を前記表示手段へ表示させる、付記２に記載の通信端末。
（付記４）
前記制御手段は、前記通信端末がサポートする周波数帯をスキャンし、前記セカンダリ基地局より正常に受信した情報の周波数帯に基づいて前記少なくとも１つの周波数帯を特定する、付記1に記載の通信端末。
（付記５）
前記制御手段は、
前記マスター基地局から、前記マスター基地局とともにデュアルコネクティビティを提供する前記セカンダリ基地局がサポートする少なくとも１つの周波数帯に関する情報を受信し、前記情報に含まれる周波数帯をスキャンして利用可能な周波数帯を特定する、付記１乃至４のいずれか１項に記載の通信端末。
（付記６）
前記制御手段は、
前記マスター基地局から、前記セカンダリ基地局がサポートする少なくとも１つの周波数帯に関する情報を含むSIB（System Information Block）を受信する、付記５に記載の通信端末。
（付記７）
前記制御手段は、
前記マスター基地局から、前記マスター基地局とともにデュアルコネクティビティを提供する前記セカンダリ基地局がサポートする少なくとも１つの周波数帯と、前記マスター基地局が前記通信端末との通信に使用する周波数帯との組み合わせに関する情報を受信する、付記５又は６に記載の通信端末。
（付記８）
前記制御手段は、
NAS (Non Access Stratum)レイヤにおいて前記第２の無線アクセステクノロジーを用いたデュアルコネクティビティを使用することを許可されていることを示す情報を受信した場合に、前記NASレイヤからRRC (Radio Resource Control)レイヤへ、前記SIBに含まれる少なくとも１つの周波数帯をスキャンすることを指示させる、付記６に記載の通信端末。
（付記９）
前記制御手段は、
前記マスター基地局から、前記通信端末が登録される少なくとも１つの位置登録エリア内において、前記マスター基地局もしくは他のマスター基地局とともにデュアルコネクティビティを提供するセカンダリ基地局がサポートする少なくとも１つの周波数帯に関する情報を受信する、付記１乃至５のいずれか１項に記載の通信端末。
（付記１０）
前記制御手段は、
前記マスター基地局から、位置登録処理において、前記セカンダリ基地局がサポートする少なくとも１つの周波数帯に関する情報が設定されたメッセージを受信する、付記９に記載の通信端末。
（付記１１）
前記制御手段は、
前記位置登録処理において受信したメッセージに設定された少なくとも１つの周波数帯をスキャンし、利用可能な周波数帯を特定する、付記１０に記載の通信端末。
（付記１２）
前記制御手段は、
NASレイヤにおいて前記第２の無線アクセステクノロジーを用いたデュアルコネクティビティを使用することを許可されていることを示す情報を受信した場合に、前記NASレイヤからRRCレイヤへ、前記位置登録処理において受信したメッセージに設定された少なくとも１つの周波数帯をスキャンすることを指示させる、付記１１に記載の通信端末。
（付記１３）
前記受信手段は、
前記マスター基地局から、前記マスター基地局とともにデュアルコネクティビティを提供する少なくとも１つのセカンダリ基地局を識別するための識別情報を受信し、
前記制御手段は、
前記セカンダリ基地局から送信される信号に含まれる前記セカンダリ基地局の識別情報が、前記マスター基地局から受信した少なくとも１つの前記セカンダリ基地局を識別するための識別情報に含まれる場合に、前記マスター基地局とともにデュアルコネクティビティを提供する前記セカンダリ基地局がサポートする少なくとも１つの周波数帯を特定する、付記１乃至１２のいずれか１項に記載の通信端末。
（付記１４）
前記制御手段は、
前記セカンダリ基地局から送信される信号に含まれる、前記セカンダリ基地局とともにデュアルコネクティビティを提供する少なくとも１つのマスター基地局を識別するための識別情報に、現在在圏しているマスター基地局の識別情報が含まれる場合に、前記マスター基地局とともにデュアルコネクティビティを提供する前記セカンダリ基地局がサポートする少なくとも１つの周波数帯を特定する、付記１乃至１２のいずれか１項に記載の通信端末。
（付記１５）
第１の無線アクセステクノロジーを用いて通信端末と通信する通信手段と、
第２の無線アクセステクノロジーに関連付けられたセカンダリ基地局とともに前記通信端末に対してデュアルコネクティビティを提供する際に、前記セカンダリ基地局がサポートする少なくとも１つの周波数帯に関する情報を前記通信端末へ送信する制御手段と、を備える基地局。
（付記１６）
前記制御手段は、
前記セカンダリ基地局がサポートする少なくとも１つの周波数帯に関する情報を含むSIBを前記通信端末へ送信する、付記１５に記載の基地局。
（付記１７）
前記制御手段は、
前記通信端末が登録される少なくとも１つの位置登録エリア内において、前記基地局もしくは他のマスター基地局とともにデュアルコネクティビティを提供するセカンダリ基地局がサポートする少なくとも１つの周波数帯に関する情報を送信する、付記１５に記載の基地局。
（付記１８）
前記制御手段は、
位置登録処理において、前記セカンダリ基地局がサポートする少なくとも１つの周波数帯に関する情報を設定したメッセージを前記通信端末へ送信する、付記１７に記載の基地局。
（付記１９）
前記制御手段は、
連携してデュアルコネクティビティを提供する少なくとも１つのセカンダリ基地局を識別するための識別情報を前記通信端末へ送信する、付記１５乃至１８のいずれか１項に記載の基地局。
（付記２０）
第２の無線アクセステクノロジーを用いて通信端末と通信する通信手段と、
連携してデュアルコネクティビティを提供することができる第１の無線アクセステクノロジーに関連付けられた少なくとも１つのマスター基地局を識別するための識別情報を前記通信端末へ送信する制御手段と、を備える基地局。
（付記２１）
第１の無線アクセステクノロジーに関連付けられたマスター基地局及び第２の無線アクセステクノロジーに関連付けられたセカンダリ基地局と同時に通信する通信端末において実行される通信方法であって、
前記マスター基地局から、前記第２の無線アクセステクノロジーを用いたデュアルコネクティビティを使用することを許可されていることを示す情報を受信し、
前記マスター基地局とともにデュアルコネクティビティを提供する前記セカンダリ基地局がサポートする少なくとも１つの周波数帯を特定する、通信方法。
（付記２２）
第１の無線アクセステクノロジーを用いて通信端末と通信する基地局における通信方法であって、
第２の無線アクセステクノロジーに関連付けられたセカンダリ基地局とともに前記通信端末に対してデュアルコネクティビティを提供する際に、
前記セカンダリ基地局がサポートする少なくとも１つの周波数帯に関する情報を前記通信端末へ送信する、通信方法。
【符号の説明】
【０１０２】
１０  マスター基地局
１１  ＭｅＮＢ
１２  ＭＮ
１５  制御部
１６  通信部
２０  セカンダリ基地局
２１  ＳｇＮＢ
２２  ＳＮ
３０  通信端末
３１  通信部
３２  制御部
３５  ＵＥ
４０  ＭＭＥ
５０  ＡＭＦ
６３  ＨＳＳ
【図１】
2019031528.tif 000003
【図２】
2019031528.tif 000004
【図３】
2019031528.tif 000005
【図４】
2019031528.tif 000006
【図５】
2019031528.tif 000007
【図６】
2019031528.tif 000008
【図７】
2019031528.tif 000009
【図８】
2019031528.tif 000010
【図９】
2019031528.tif 000011
【図１０】
2019031528.tif 000012
【図１１】
2019031528.tif 000013
【図１２】
2019031528.tif 000014
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
第１の無線アクセステクノロジーに関連付けられたマスター基地局及び第２の無線アクセステクノロジーに関連付けられたセカンダリ基地局と同時に通信する通信手段と、
前記マスター基地局から、前記第２の無線アクセステクノロジーを用いたデュアルコネクティビティを使用することを許可されていることを示す情報を受信する受信手段と、
前記マスター基地局とともにデュアルコネクティビティを提供する前記セカンダリ基地局がサポートする少なくとも１つの周波数帯を特定する制御手段と、を備える通信端末。
【請求項２】
前記制御手段は、
前記少なくとも１つの周波数帯を特定した場合、前記第２の無線アクセステクノロジーを利用することができることを示す情報を表示手段へ表示させるか否かを判定する、請求項１に記載の通信端末。
【請求項３】
前記制御手段は、
前記少なくとも１つの周波数帯を特定し、かつ、前記マスター基地局から、前記マスター基地局がローカルに利用可能な第２の無線アクセステクノロジーを用いたデュアルコネクティビティをサポートすることができることを示す情報を受信した場合に、前記第２の無線アクセステクノロジーを利用することができることを示す情報を前記表示手段へ表示させる、請求項２に記載の通信端末。
【請求項４】
前記制御手段は、前記通信端末がサポートする周波数帯をスキャンし、前記セカンダリ基地局より正常に受信した情報の周波数帯に基づいて前記少なくとも１つの周波数帯を特定する、請求項1に記載の通信端末。
【請求項５】
前記制御手段は、
前記マスター基地局から、前記マスター基地局とともにデュアルコネクティビティを提供する前記セカンダリ基地局がサポートする少なくとも１つの周波数帯に関する情報を受信し、前記情報に含まれる周波数帯をスキャンして利用可能な周波数帯を特定する、請求項１乃至４のいずれか１項に記載の通信端末。
【請求項６】
前記制御手段は、
前記マスター基地局から、前記セカンダリ基地局がサポートする少なくとも１つの周波数帯に関する情報を含むSIB（System Information Block）を受信する、請求項５に記載の通信端末。
【請求項７】
前記制御手段は、
前記マスター基地局から、前記マスター基地局とともにデュアルコネクティビティを提供する前記セカンダリ基地局がサポートする少なくとも１つの周波数帯と、前記マスター基地局が前記通信端末との通信に使用する周波数帯との組み合わせに関する情報を受信する、請求項５又は６に記載の通信端末。
【請求項８】
前記制御手段は、
NAS (Non Access Stratum)レイヤにおいて前記第２の無線アクセステクノロジーを用いたデュアルコネクティビティを使用することを許可されていることを示す情報を受信した場合に、前記NASレイヤからRRC (Radio Resource Control)レイヤへ、前記SIBに含まれる少なくとも１つの周波数帯をスキャンすることを指示させる、請求項６に記載の通信端末。
【請求項９】
前記制御手段は、
前記マスター基地局から、前記通信端末が登録される少なくとも１つの位置登録エリア内において、前記マスター基地局もしくは他のマスター基地局とともにデュアルコネクティビティを提供するセカンダリ基地局がサポートする少なくとも１つの周波数帯に関する情報を受信する、請求項１乃至５のいずれか１項に記載の通信端末。
【請求項１０】
前記制御手段は、
前記マスター基地局から、位置登録処理において、前記セカンダリ基地局がサポートする少なくとも１つの周波数帯に関する情報が設定されたメッセージを受信する、請求項９に記載の通信端末。
【請求項１１】
前記制御手段は、
前記位置登録処理において受信したメッセージに設定された少なくとも１つの周波数帯をスキャンし、利用可能な周波数帯を特定する、請求項１０に記載の通信端末。
【請求項１２】
前記制御手段は、
NASレイヤにおいて前記第２の無線アクセステクノロジーを用いたデュアルコネクティビティを使用することを許可されていることを示す情報を受信した場合に、前記NASレイヤからRRCレイヤへ、前記位置登録処理において受信したメッセージに設定された少なくとも１つの周波数帯をスキャンすることを指示させる、請求項１１に記載の通信端末。
【請求項１３】
前記受信手段は、
前記マスター基地局から、前記マスター基地局とともにデュアルコネクティビティを提供する少なくとも１つのセカンダリ基地局を識別するための識別情報を受信し、
前記制御手段は、
前記セカンダリ基地局から送信される信号に含まれる前記セカンダリ基地局の識別情報が、前記マスター基地局から受信した少なくとも１つの前記セカンダリ基地局を識別するための識別情報に含まれる場合に、前記マスター基地局とともにデュアルコネクティビティを提供する前記セカンダリ基地局がサポートする少なくとも１つの周波数帯を特定する、請求項１乃至１２のいずれか１項に記載の通信端末。
【請求項１４】
前記制御手段は、
前記セカンダリ基地局から送信される信号に含まれる、前記セカンダリ基地局とともにデュアルコネクティビティを提供する少なくとも１つのマスター基地局を識別するための識別情報に、現在在圏しているマスター基地局の識別情報が含まれる場合に、前記マスター基地局とともにデュアルコネクティビティを提供する前記セカンダリ基地局がサポートする少なくとも１つの周波数帯を特定する、請求項１乃至１２のいずれか１項に記載の通信端末。
【請求項１５】
第１の無線アクセステクノロジーを用いて通信端末と通信する通信手段と、
第２の無線アクセステクノロジーに関連付けられたセカンダリ基地局とともに前記通信端末に対してデュアルコネクティビティを提供する際に、前記セカンダリ基地局がサポートする少なくとも１つの周波数帯に関する情報を前記通信端末へ送信する制御手段と、を備える基地局。
【請求項１６】
第１の無線アクセステクノロジーに関連付けられたマスター基地局及び第２の無線アクセステクノロジーに関連付けられたセカンダリ基地局と同時に通信する通信端末において実行される通信方法であって、
前記マスター基地局から、前記第２の無線アクセステクノロジーを用いたデュアルコネクティビティを使用することを許可されていることを示す情報を受信し、
前記マスター基地局とともにデュアルコネクティビティを提供する前記セカンダリ基地局がサポートする少なくとも１つの周波数帯を特定する、通信方法。
【国際調査報告】
2019031528.tif 000015
2019031528.tif 000016
2019031528.tif 000017
2019031528.tif 000018
2019031528.tif 000019
2019031528.tif 000020
2019031528.tif 000021